(57)【要約】      （修正有）【課題】コンクリートシュートを、所望の高さで簡単に支持することができ、しかも安定して支持することができる新規なコンクリートシュート支持台を提供する。【解決手段】台座部２と該台座部２に立設された柱材３とにより成る一対のフレーム４間に渡り補強材５ａ〜５ｃを取り付け、一対の柱材３の対向する面の水平位置にフック６を複数段設け、対向するフック６間に支持部材７を掛け渡して構成し、支持部材７をチェーンで構成し、チェーンの一方の端部７ａを柱材３に固定して構成した。【選択図】図１
0003206865.tif 000002
【実用新案登録請求の範囲】
【請求項１】
台座部と該台座部に立設された柱材とにより成る一対のフレーム間に渡り補強材を取り付け、一対の柱材の対向する面の水平位置にフックを複数段設け、対向するフック間に支持部材を掛け渡したコンクリートシュート支持台。
【請求項２】
支持部材がチェーンである請求項１に記載のコンクリートシュート支持台。
【請求項３】
チェーンの一方端を柱材に固定した請求項２に記載のコンクリートシュート支持台。
【考案の詳細な説明】
【技術分野】
【０００１】
本考案は、コンクリートシュートの支持台に関するものであり、より詳しくは、コンクリートを流下させるために用いられる樋状に形成されたコンクリートシュートを支持するための、コンクリートシュート支持台に関するものである。
【背景技術】
【０００２】
コンクリートミキサー車等の供給元から、硬化する前の流動体状のコンクリート、所謂「生コン」をコンクリートの打設現場に搬送するために、斜めシュートと呼ばれるコンクリートシュートを用いることがある。ここに、コンクリートシュートは、樋状のものであり、供給元から供給先にコンクリート（生コン）を流下させるものである。
【０００３】
そして、全長が例えば２ｍ〜４ｍといった長いコンクリートシュートを用いる場合には、流下させるコンクリートの重みに耐えられずにコンクリートシュートが折れ曲ってしまう可能性があることから、コンクリートシュートの中間部分を支持することが行われている。
【０００４】
しかしながら、コンクリートシュートを支持するための専用の器具はなく、脚立等の適宜の台を用いてコンクリートシュートを支持しているのが現状である。
【０００５】
特許文献１には台座と、該台座に立設された固定杆と、該固定杆に昇降自在に挿嵌された昇降杆と、この昇降杆に設けられ、樋状のコンクリートシュートを支持するシュート支持部とを備えたコンクリートシュート支持台が開示されている。
【先行技術文献】
【特許文献】
【０００６】
【特許文献１】特開２００６−２９７６９３号公報
【考案の概要】
【考案が解決しようとする課題】
【０００７】
脚立等の適宜の台を用いてコンクリートシュートを支持しようとしても、脚立等の台は高さが一定であるため、コンクリートシュートを所望の高さで支持しようとすると、台とコンクリートシュートとの間に枕木や板等の別途の部材を介在させて支持高さを調節しなければならず、支持高さの調節が面倒である。
【０００８】
また、コンクリートシュートを支持するための専用の台ではないため、コンクリートシュートを安定して支持することが困難である。
【０００９】
本考案は、上記実状を鑑みてなされたものであり、コンクリートシュートを、所望の高さで簡単に支持することができ、しかも安定して支持することができる新規なコンクリートシュート支持台を提供することを目的とする。
【課題を解決するための手段】
【００１０】
上記の目的を達成する本考案の構成は次の通りである。
【００１１】
（１）  請求項１に記載の考案は、台座部と該台座部に立設された柱材とにより成る一対のフレーム間に渡り補強材を取り付け、一対の柱材の対向する面の水平位置にフックを複数段設け、対向するフック間に支持部材を掛け渡して構成した。
【００１２】
（２）  請求項２に記載の考案は、請求項１に記載のコンクリートシュート支持台において、支持部材をチェーンで構成した。
【００１３】
（３）  請求項３に記載の考案は、請求項２に記載のコンクリートシュート支持台において、チェーンの一方端を柱材に固定して構成した。
【考案の効果】
【００１４】
上記のように構成される本考案が、如何に作用して課題を解決するかを図面を参照しながら概説する。
【００１５】
本考案にかかるコンクリートシュート支持台１は、図１、図２に示すように一対のフレーム４，４間に支持部材７を、フック６に掛ける形態で取り付けてある。そして、掛けるフック７を代えるという容易な手段で、図１に示すように支持部材７を高い位置に設置したり、図２に示すように低い位置に設置することが可能となる。
【００１６】
図４に示すように、支持部材７でコンクリートシュート８を支持するものであり、上述の通り支持部材７を設置する高さは容易に変更可能であることから、本考案によればコンクリートシュートを所望の高さで簡単に支持することができるのである。
【００１７】
図５は実際の使用場面を説明するものである。コンクリートミキサー車９から排出させる生コンを、コンクリートシュート８を用いて打設場所、あるいは図示される一輪車１０等の運搬具まで搬送するものであり、このコンクリートシュート８を適宜位置でコンクリートシュート支持台１により支持するものである。かように本考案はコンクリートシュートを支持するための専用の台であるため、コンクリートシュートを安定して支持することが可能となるのである。
【図面の簡単な説明】
【００１８】
【図１】本考案の正面図
【図２】本考案の正面図
【図３】本考案の斜視図
【図４】使用状態を示す説明図
【図５】実施状態を示す説明図
【考案を実施するための形態】
【００１９】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２０】
図１乃至図３に示すように本考案にかかるコンクリートシュート支持台１は、一対のフレーム４，４と、フレーム４，４間に掛け渡した補強材５ａ，５ｂ，５ｃと、フレーム４，４間に設置される支持部材７とにより成るものである。
【００２１】
フレーム４は角パイプ製の台座部２と、当該台座部２に垂直方向に立設された角パイプ製の柱材３とにより成るものである。むろんこれは一例であり、台座部２を円盤状の部材で形成しても構わないし、柱材も角パイプ製に限定されるわけではない。コンクリートシュートを安定して支持可能であれば任意の形状・素材を採用できる。
【００２２】
一対のフレーム間に４，４間には、補強材５ａ，５ｂ，５ｃが介在させてある。支持するコンクリートシュートよりも上部に位置する補強材５ｃは、コンクリートシュート及び搬送される生コンの重みにより、柱材が内側によることを防ぐ役目も果たすものである。
【００２３】
一対の柱材３、３の対向する面の水平位置には、フック６が複数段設けてある。このフックは十分な強度を持たすために柱材３に溶接することが好ましい。
【００２４】
水平位置に存するフック６，６に掛け渡す支持部材７は、例えば両端にフック６に係止可能なリングを備えたワイヤといったものでも良いが、請求項２，３記載の考案では、チェーンを用いている。チェーンで形成した支持部材７の端部７ａを柱材７に溶接などの方法で固定しておけば、チェーンの紛失を防止可能となる。
【符号の説明】
【００２５】
１・・コンクリートシュート支持台
２・・台座部
３・・柱材
４・・フレーム
５ａ，５ｂ，５ｃ・・補強材
６・・フック
７・・支持部材
【図１】
0003206865.tif 000003
【図２】
0003206865.tif 000004
【図３】
0003206865.tif 000005
【図４】
0003206865.tif 000006
【図５】
0003206865.tif 000007